(57)【要約】【課題】マイナスイオン発生性を有する機能性材料、あるいは遠赤外線放射性、消臭性、抗微生物性、抗アレルギー性、抗酸化性またはリラクシゼーション性を有する機能性材料を用いるにあたり、特別の技術的工夫を講じることにより、主として身体に接触ないし近接する使い方をしたり室内または車内環境の改善を図る使い方をしたりする民生用の用途において、機能性が効率的に発揮されるようにした印刷体およびその製造法を提供することを目的とする。【解決手段】機能性セラミックスを（ａ１）、（ａ１）以外のセラミックスを（ａ２）、有機質または（ａ１）以外の無機質の機能性物質を（ａ３）とするとき、（ａ１）、（ａ１）＋（ａ３）、（ａ２）＋（ａ３）、または（ａ１）＋（ａ２）＋（ａ３）から選ばれた含セラミックス機能性成分（Ａ）  と、バインダー（Ｂ）  とを必須成分とするインク組成物のスクリーン印刷法による印刷部（２）  が、発泡体または繊維絡合体からなる多孔質系対象物（１）  上にパターン状に形成された構造を有するスクリーン印刷体である。【選択図】      図１
2004314543.tif 000002
【特許請求の範囲】
【請求項１】
機能性セラミックスを（ａ１）、（ａ１）以外のセラミックスを（ａ２）、有機質または（ａ１）以外の無機質の機能性物質を（ａ３）とするとき、（ａ１）、（ａ１）＋（ａ３）、（ａ２）＋（ａ３）、または（ａ１）＋（ａ２）＋（ａ３）から選ばれた含セラミックス機能性成分（Ａ）  と、バインダー（Ｂ）  とを必須成分とするインク組成物のスクリーン印刷法による印刷部（２）  が、発泡体または繊維絡合体からなる多孔質系対象物（１）  上にパターン状に形成された構造を有するスクリーン印刷体。
【請求項２】
多孔質系対象物（１）  のうちの発泡体が、連続気泡を有する三次元網目状の発泡体である請求項１記載のスクリーン印刷体。
【請求項３】
多孔質系対象物（１）  のうちの繊維絡合体が、不織布、織布、編布、綿状物または紙である請求項１記載のスクリーン印刷体。
【請求項４】
多孔質系対象物（１）  が表面部（１１）と本体部（１２）とからなり、その少なくとも表面部（１１）は、連続気泡を有する発泡体または繊維絡合体で構成され、その少なくとも本体部（１２）の少なくとも一部は、低反発性を有する発泡体で構成されている請求項１記載のスクリーン印刷体。
【請求項５】
多孔質系対象物（１）  上の印刷部（２）  のパターンが、ドット形状またはそれに準じた形状を有している請求項１記載のスクリーン印刷体。
【請求項６】
含セラミックス機能性成分（Ａ）  が、マイナスイオン放射性、遠赤外線放射性、消臭性、抗微生物性、抗アレルギー性、抗酸化性またはリラクシゼーション性を有する含セラミックス機能性成分である請求項１記載のスクリーン印刷体。
【請求項７】
マイナスイオン放射性を有する含セラミックス機能性成分（Ａ）  が、トルマリンおよびその励起剤からなり、かつ該励起剤が微放射線放射性物質および導電性物質を併用したものからなる請求項６記載のスクリーン印刷体。
【請求項８】
機能性セラミックスを（ａ１）、（ａ１）以外のセラミックスを（ａ２）、有機質または（ａ１）以外の無機質の機能性物質を（ａ３）とするとき、（ａ１）、（ａ１）＋（ａ３）、（ａ２）＋（ａ３）、または（ａ１）＋（ａ２）＋（ａ３）から選ばれた含セラミックス機能性成分（Ａ）  と、バインダー（Ｂ）  とを必須成分とするインク組成物のスクリーン印刷法による印刷部（２）  を、発泡体または繊維絡合体からなる多孔質系対象物（１）  上にパターン状に形成することを特徴とするスクリーン印刷体の製造法。
【発明の詳細な説明】
【０００１】
【発明の属する技術分野】
本発明は、マイナスイオン放射性、遠赤外線放射性、消臭性、抗微生物性、抗アレルギー性、抗酸化性またはリラクシゼーション性などの機能が効率的に得られるような特別の工夫を講じた印刷体およびその製造法に関するものである。
【０００２】
【従来の技術】
〈マイナスイオン発生体〉
トルマリンをマイナスイオン発生性物質として利用することは、すでに周知となっている。しかしながら、トルマリンは、マイナスイオン発生性物質としての素質（潜在的能力）を有してはいるものの、トルマリンのみではマイナスイオンの発生の度合いが極めて乏しい。
【０００３】
そこで、天然鉱石系の微放射線放射性物質を励起剤として併用して、トルマリンのマイナスイオン発生効率を高める提案がなされている。たとえば、特開２００２−３７２２８（引用文献１）、特開２００１−２１１６５、特開２００１−２１１６３、特開２００１−２１１５２、特開２００１−２０１７７、特開２００１−２０１５１、特開２００１−１９４２０、特開２００１−１７９８４、特開２００１−１７５２６、特開２００１−１７５２５、特開２００１−１７２７７、特開２０００−１５６１８３、特開平１１−３３５１５７号公報、特開平１１−２７９４２２号公報、特開平１１−１９２４７９号公報をはじめとする多数の文献には、トルマリンの励起剤として、天然鉱石系の微放射線放射性物質を用いることが示されている。これらはトルマリンと天然鉱石系の微放射線放射性物質との併用という点で共通した内容のものであるので、代表的なものとして特開２００２−３７２２８を特許文献１とすることにする。
【０００４】
トルマリンのマイナスイオンの発生効率を高めるために、一種の励起剤として、導電性物質を併用することについても提案がなされている。たとえば、特開２００１−３０３７５５（引用文献２）、特開２００１−３０３７５２、特開２００１−２１４１３２、特開平１１−３３５１５７号公報、特開平１１−２９９５１５号公報、特開平１１−２７１６９０号公報、特開平１１−２１４１２９号公報、特開平１１−１９２４７９号公報、特開平１１−３８３７０号公報、特開平７−１３２２８４号公報には、トルマリンと、金属粉や炭素粉などの導電性物質を併用する技術が示されている。これらはトルマリンと導電性物質との併用という点で共通した内容のものであるので、代表的なものとして特開２００１−３０３７５５を特許文献２とする。
【０００５】
【特許文献１】
特開２００２−３７２２８
【０００６】
【特許文献２】
特開２００１−３０３７５５
【０００７】
【発明が解決しようとする課題】
〈マイナスイオン発生性材料〉
トルマリンと天然鉱石系の微放射線放射性物質とを併用した引用文献１のような材料、トルマリンと導電性物質とを併用した引用文献２のような材料は、マイナスイオン発生性の点で利用できるものであるが、民生用に適用するという観点においては基礎的な第１段階の応用にとどまり、発生するマイナスイオンをより有効に利用するという発展的な第２段階には到達していないように見える。
【０００８】
そのほか、マイナスイオンの発生量の観点から考察すると、トルマリンのマイナスイオン発生性を高めるべく微放射線放射性物質を励起剤として併用する方法は有効な方法ではあるが、トルマリンのマイナスイオン発生量を充分に高めるためには、相応の量の微放射線放射性物質を併用しなければならないところ、そのような量の併用によっても、マイナスイオン発生量にはおのずから限界がある。また、微放射線放射性物質の単位グラム当りの放射線量は、我が国の規制レベルの上限値よりもはるかに低い線量であるとは言っても、トータル使用量や使用時の人体との距離などの要因を考慮すると、その使用量はできるだけ少ない方が好ましい。
【０００９】
トルマリンのマイナスイオン発生性を高めるべく導電性物質を励起剤として併用する方法も、それなりに有効な方法である。しかしながら、導電性物質の併用による励起効果はそれほど大きいものではない。
【００１０】
〈他の機能性材料〉
マイナスイオン発生性材料のほか、消臭性や抗微生物性を発揮する材料についても種々の提案がなされているが、やはり基礎的な段階の応用にとどまり、その有効利用の点で発展的な第２段階には到達していないように見える。
【００１１】
〈発明の目的〉
本発明は、マイナスイオン発生性を有する機能性材料、あるいは遠赤外線放射性、消臭性、抗微生物性、抗アレルギー性、抗酸化性またはリラクシゼーション性を有する機能性材料を用いるにあたり、特別の技術的工夫を講じることにより、主として身体に接触ないし近接する使い方をしたり室内または車内環境の改善を図る使い方をしたりする民生用の用途において、機能性が効率的に発揮されるようにした印刷体およびその製造法を提供することを目的とするものである。
【００１２】
【課題を解決するための手段】
本発明のスクリーン印刷体は、機能性セラミックスを（ａ１）、（ａ１）以外のセラミックスを（ａ２）、有機質または（ａ１）以外の無機質の機能性物質を（ａ３）とするとき、（ａ１）、（ａ１）＋（ａ３）、（ａ２）＋（ａ３）、または（ａ１）＋（ａ２）＋（ａ３）から選ばれた含セラミックス機能性成分（Ａ）  と、バインダー（Ｂ）  とを必須成分とするインク組成物のスクリーン印刷法による印刷部（２）  が、発泡体または繊維絡合体からなる多孔質系対象物（１）  上にパターン状に形成された構造を有するものである。
【００１３】
本発明のスクリーン印刷体の製造法は、機能性セラミックスを（ａ１）、（ａ１）以外のセラミックスを（ａ２）、有機質または（ａ１）以外の無機質の機能性物質を（ａ３）とするとき、（ａ１）、（ａ１）＋（ａ３）、（ａ２）＋（ａ３）、または（ａ１）＋（ａ２）＋（ａ３）から選ばれた含セラミックス機能性成分（Ａ）  と、バインダー（Ｂ）  とを必須成分とするインク組成物のスクリーン印刷法による印刷部（２）  を、発泡体または繊維絡合体からなる多孔質系対象物（１）  上にパターン状に形成することを特徴とするものである。
【００１４】
【発明の実施の形態】
以下本発明を詳細に説明する。
【００１５】
〈インク組成物〉
本発明においてはインク組成物として、含セラミックス機能性成分（Ａ）  とバインダー（Ｂ）  とを必須成分とする組成物を用いる。
【００１６】
（含セラミックス機能性成分（Ａ）  ）
ここで含セラミックス機能性成分（Ａ）  としては、
・機能性セラミックスを（ａ１）、
・（ａ１）以外のセラミックスを（ａ２）、
・有機質または（ａ１）以外の無機質の機能性物質を（ａ３）
とするとき、
・（ａ１）、
・（ａ１）＋（ａ３）、
・（ａ２）＋（ａ３）、または
・（ａ１）＋（ａ２）＋（ａ３）
から選ばれたものが用いられる。
【００１７】
機能性セラミックス（ａ１）としては、マイナスイオン放射性または遠赤外線放射性を有するセラミックスがあげられる。
【００１８】
マイナスイオン放射性を有する機能性セラミックス（ａ１）の代表例は、トルマリンである。ただし、トルマリン単独ではマイナスイオン放射性が小さいので、トルマリンをその励起剤と併用するのが通常である。ここで励起剤としては、微放射線放射性物質または導電性物質が代表的なものとしてあげられるが、そのどちらか一方ではなお励起作用が必ずしも充分ではないので、微放射線放射性物質と導電性物質剤とを併用することが推奨される。
【００１９】
トルマリンの粒度はできるだけ細かい方が好ましい。たとえば、平均粒子径で２０μｍ  以下、通常は１０μｍ  以下、さらには５μｍ  以下、３μｍ  以下、２μｍ  以下、１μｍ  以下というように小さいほど好ましく、特に１μｍ  未満のサブミクロンオーダーとすることが好ましい。下限については限定はないものの、０．１  μｍ  のものとすることも容易である。
【００２０】
励起剤のうち微放射線放射性物質の例は、モナズ石、サマルスキー石、デービド鉱、ブランネル石、センウラン鉱、ニンギョウ石、リンカイウラン石、カルノー石、チャムン石、メタチャムン石、フランセビル石、トール石、コフィン石、トリウム石、トロゴム石のような天然鉱石系の物質である。
【００２１】
導電性物質の例は、銀、銅、アルミニウム、鉄、ニッケル、ベリリウム等の金属（合金を含む）系の導電性物質や、カーボンブラック、炭素繊維等のカーボン系の導電性物質である。金属酸化物や金属塩であっても、ＩＴＯ、酸化インジウム、酸化スズ、チタン酸バリウムのように導電性を有するものは、導電性物質として使用可能である。また、ポリアニリン、ポリチオフェン、ポリアセチレンのような有機系の導電性物質であってもよい。
【００２２】
励起剤としての微放射線放射性物質と導電性物質との比率は、広い範囲から選択しうるものの、両者の使用比率を、重量比で、２０：１〜１：２、殊に１５：１〜１：１、さらには１０：１〜２：１に設定することが好ましい。このような範囲において両者の併用効果が最も顕著に発揮されるからである。
【００２３】
トルマリンと励起剤（微放射線放射性物質および導電性物質）との比率は、両者の合計量を１００重量％とするとき、トルマリンを２０〜９５重量％（殊に３０〜９０重量％）、励起剤を８０〜５重量％（殊に７０〜１０重量％）とすることが多い。
【００２４】
機能性セラミックス（ａ１）は、上述のマイナスイオン放射性を有するセラミックスのほか、遠赤外線放射性セラミックスであってもよい。
【００２５】
機能性セラミックス（ａ１）以外のセラミックス（ａ２）としては、次のようなものが例示できる。重複して記載しているものもある。
・含水ケイ酸ゲルを経て得られるシリカゲル。
・アルミナゾルやシリカゾルのようなゾル状または溶液状の無機質凝集剤、殊に、ゾル状の無水ケイ酸または溶液状のケイ酸塩（ケイ酸ナトリウムやケイ酸カリウム）。ゾル状の無水ケイ酸には、水を媒体とする通常のコロイダルシリカのほか、アルコール等の有機溶媒を媒体とするオルガノシリカゾルがある。これらを用いれば、凝集力を利用して有効成分（Ｅ）  との複合化を図ることができる。
・粘土鉱物、たとえば、カオリン、ベントナイトなど。
・酸化物、たとえば、アルミナ、チタニア、シリカ、ジルコニア、マグネシア、酸化亜鉛、酸化銅（殊に酸化第一銅）などの酸化物。
・水酸化物、たとえば、アルミニウム、亜鉛、マグネシウム、カルシウム、マンガンなどの水酸化物。
・ミョウバンなどの複合酸化物。
・窒化物（窒化ケイ素、窒化ホウ素、窒化チタン等）、炭化物（炭化ケイ素、炭化ホウ素等）、ホウ化物。
・ケイ酸の多価金属塩、たとえば、ケイ酸のアルミニウム塩、亜鉛塩、マグネシウム塩、カルシウム塩、マンガン塩など。
・ケイ酸のアルカリ金属塩、たとえば、ケイ酸のリチウム塩、ナトリウム塩、カリウム塩など。
・水を吸って膨潤する性質を有する粘土鉱物、たとえば、セピオライト、バーミキュライト、ベントナイト、セリサイト粘土などを用いることもできる。これらの中では、特異な繊維状構造を有するセピオライトが特に重要である。
・ゼオライト、クリストバライト、ケイ藻土。
・タルク。
・天然マイカ、たとえば、絹雲母（セリサイト）、白雲母（マスコバイト）、金雲母（フロゴパイト）、フッ素金雲母、着色元素が結晶中に配位した着色マイカ、雲母チタン、紫外線吸収マイカなど。
光触媒酸化チタンなどのセラミックス系の無機質光触媒。
【００２６】
有機質または（ａ１）以外の無機質の機能性物質（ａ３）のうち、（ａ１）以外の無機質の機能性物質としては、次のようなものが例示できる。ただし、セラミックス（ａ２）と区別しがたいものもある。
・銅塩（殊に第一銅塩）。
・リン酸、硫酸、硝酸、炭酸などの無機酸の多価金属塩（アルミニウム、亜鉛、マグネシウム、カルシウム、マンガン等）やアルカリ金属塩。
・アルカリ金属やアルカリ土類金属のフッ化物やケイフッ化物。
【００２７】
有機質または（ａ１）以外の無機質の機能性物質（ａ３）のうち、有機質の機能性物質としては、消臭性、抗微生物性、抗アレルギー性、抗酸化性またはリラクシゼーション性を有するものがあげられる。消臭性は、脱臭性、悪臭消去性、有害ガス成分除去性を包含し、抗微生物性は、抗菌性、殺菌性、静菌性、抗カビ性、抗ウィルス性を包含し、リラクシゼーション性は、リラックス感、ヒール感（癒し感）、快適感、快活感（高揚感）、爽快感、清涼感、健康感などを包含するものとする。有機質の機能性物質は、動植物または微生物由来の有効成分または合成によるこれと同等の有効成分であることが好ましい。
【００２８】
有機質の機能性物質の例は、次の如くである。
・カテキン類、サポニン類、茶葉粉末、茶葉抽出物、タンニン（酸）、カフェイン、メチルカテキン。
・ティートリー、パイン、クローブ、セージ、ナツメグ、イチョウ葉、モミ殻、ネギ類、ナンキョウ、カフィライム、コーヒー豆、グァバ茶、ナナカマド、シコン、タケまたはクマザサ茶由来の精油ないし抽出物。
・次に例示するような植物由来の精油ないし抽出物、たとえば、アニス、アミリス、アンジェリカ、安息香樹、イモーテル、イランイラン、エキナセア、エレミ、オリガナム、オレンジ、カミツレ（カモミール）、カユプテ、ガーリック、カルダモン、ガルバナム、カンファー（クスノキ）、キャラウェイ、キャロットシード、グアヤックウッド、クミン、クラリセージ、グレープフルーツ、コリアンダー、サイプレス、サンダルウッド（ビャクダン）、サントリナ、シダーウッド、シトロネラ、シナモン、ジャスミン、ジュニパー、ジンジャー（ショウガ）、スターアニス、スパイクラベンダー、スペアミント、ゼラニウム、タイム、タジェティーズ、タラゴン、タンジェリン、ディル、テレビン、ニアウリ、乳香樹、ネロリ、バイオレット、バジル、バーチ、パチュリー、バーベナ、バラ、パルマローザ、ヒソップ、ピメント、ファー（モミ）、ウイキョウ（フェンネル）、プチグレン、ブラックペッパー、ベチバー、ペパーミント、ベルガモット、ライムブロッサム（ボダイジュ花）、マージョラム、マートル、マンダリン、メリッサ、ミルラ（没薬）、セイヨウノコギリソウ（ヤロウ）、ユーカリ、ライム、ラバンジン、ラベンダー、リツェアクベバ、レモン、レモングラス、ローズウッド、ローズヒップ、ローズマリー、ローレルなど。
・次に例示するような植物由来の精油ないし抽出物、たとえば、アオキ、アオギリ、アカネ、アカメガシワ、アカヤジオウ、アロエ、アンズ、イカリソウ、イタドリ、イチイ、イチジク、イノコズチ、ウコン、ウンシュウミカン、エビスグサ、エンジュ、オウレン、オオバコ、オケラ、オタネニンジン、オトギリソウ、カキ、カギカズラ、カキドオシ、カノコソウ、カラシナ、カラスビシャク、カワラヨモギ、カンゾウ、キカラスウリ、キキョウ、キササゲ、ギシギシ、キハダ、キバナオウギ、キンミズヒキ、クコ、クズ、クチナシ、クロモジ、クワ、ゲンノショウコ、ゴオウ、コガネバナ、ゴシュユ、サジオモダカ、サネブトナツメ、サルトリイバラ、サンシュユ、サンショウ、シソ、シャクヤク、ジャノヒゲ、ショウガ、スイカズラ、スギナ、セリ、センキュウ、センブリ、ダイオウ、ダイダイ、タラノキ、タンジン、タンポポ、ツヅラフジ、ツルドクダミ、ツワブキ、トウキ、ドクダミ、トリカブト、ナツメ、ナルコユリ、ナンテン、ニガキ、ニワトコ、ニンニク、ノイバラ、ハトムギ、ハナスゲ、ハナミョウガ、ハブソウ、ハマスゲ、ハマボウフウ、ヒキオコシ、ヒルガオ、ビワ、ビンロウ、フジバカマ、ベニバナ、ボタン、マオウ、マタタビ、ミシマサイコ、ムクゲ、メハジキ、モモ、ヤマノイモ、ユキノシタ、ヨモギ、リンドウ、クジン、サイコ、オウバク、ハッカ、ジオウ、ウコン、トウキ、ブクリョウ、ケイヒ、オウゴン、スオウ、レンギョウ、チモ、チョウジ、シロナンテン、アセンヤク、クマザサ、オウギ、ビャクシ、ケイガイ、ハクセンビ、ペッパー、ワサビ、セロリ、パセリ、オレガノ、柑橘類種子、タデ、大豆、ブドウ果皮、ホコッシ、モウソウチク、ピメンタ、エゴノキ、カワラヨモギ、ヒノキ、ホオノキ、レンギョウ、モッコウ、リンゴ、霊芝、ヤマブシタケなど、さらには、これらのうち生薬または漢方薬の抽出物を組み合わせたもの、たとえば、黄連解毒湯、消風散、麻杏よく甘湯、葛根湯、十味敗毒湯、荊芥連翹湯、苦参湯、荊防敗毒湯、蛇床子湯など。
・洋ガラシ由来の配糖体。
・除虫菊またはそれに含まれる成分。
・植物中に含まれる成分と同等の合成物、たとえば、ワサビやカラシの有効成分であるアリルイソチオシアネート、ニコチン、エフェドリンなど。
・アミノ酸またはその誘導体。たとえば、Ｎ−ステアリル−Ｌ−グルタミン酸塩、Ｎ−ラウリル−Ｌ−グルタミン酸塩、Ｎ−アシルメチルタウリン誘導体等のアミノ酸の金属石鹸（金属イオンはＡｇ等の抗菌性金属が適当である）；γ−アミノ酪酸（たとえば玄米から得られるもの）；テアニン（γ−グルタミルエチルアミド）。
・アスコルビン酸（ビタミンＣ）、ビタミンＤ（特にビタミンＤ３  ）、ビタミンＥ、プロビタミン。
・アスコルビン酸の水溶性誘導体（アスコルビン酸（正確にはＬ−アスコルビン酸、つまりビタミンＣ）のリン酸、ポリリン酸または硫酸のエステルあるいは該エステルの金属塩（金属塩の例は、Ｎａ塩、Ｋ塩、Ｍｇ塩、Ｃａ塩、Ａｌ塩、Ｆｅ塩など）。アスコルビン酸の水溶性誘導体（Ａ）  の中で特に好ましいものは、Ｍｇの効果も加わるアスコルビン酸のリン酸エステルのＭｇ塩（つまりリン酸−Ｌ−アスコルビルマグネシウム）である。この化合物は、化学的方法のほか、酵素法によっても製造することもできる。
・植物由来の有効成分のアスコルビン酸との反応物。たとえば、エピガロカテキンガレート、エピカテキンガレート、エピカテキン、エピガロカテキン等のカテキン類に代表されるポリフェノール化合物とアスコルビン酸との反応物。特に重要なものは、エピガロカテキンガレートとアスコルビン酸との縮合反応物である  ８−Ｃ−ａｓｃｏｒｂｙｌ（−）−ｅｐｉｇａｌｌｏｃａｔｅｃｈｉｎ  ３−Ｏ−ｇａｌｌａｔｅ  である。
・カロチノイド、カロチン類。
・麹酸（主成分は５−オキシ−２−オキシメチル−γ−ピロン）または紅麹分解物。
・ヒアルロン酸またはアガリスク茸由来の多糖類。
・動植物または微生物由来の蛋白質またはその分解物。たとえば、しらこ蛋白（プロタミン）；ペクチン分解物；卵白、イチジクなどの低分子量の塩基性蛋白質であり酵素でもあるリゾチーム；ポリリジンをはじめとするポリアミノ酸またはその塩。
・ゼラチン、ケラチナミン。
・ステビア。
・クエン酸、コハク酸、シュウ酸、リンゴ酸、マロン酸などの有機酸。
・キチン、キトサンなどの多糖類、ミツバチが採取した植物性樹脂成分と自らの分泌物とが混ぜ合わされた膠状物質であるプロポリス。
植物粉砕物、動物粉砕物、微生物またはその粉砕物、たとえば、モミガラ粉砕物、竹粉、竹炭粉砕物、ホタテ貝殻の焼成物の粉砕物、霊芝粉砕物、アガリスク茸粉砕物など。
【００２９】
（バインダー（Ｂ）  ）
バインダー（Ｂ）  としては、アクリル系樹脂、ポリエステル系樹脂、ウレタン系樹脂、シリコーン系樹脂、ビニル系樹脂、エポキシ系樹脂、フェノール系樹脂、メラミン系樹脂、尿素系樹脂、セルロース系高分子、各種エマルジョン系バインダー、各種水溶性高分子系バインダー、各種ゴム系またはエラストマー系バインダーをはじめとする種々様々の樹脂が用いられる。これらの中では、硬いバインダーよりも、柔軟な印刷膜を与えるバインダーの方がマイナスイオン発生量が大きくなる傾向がある。従って、架橋タイプのバインダーよりも、非架橋タイプのバインダーの方が有利であり、架橋タイプのバインダーを用いるときは、架橋点が過度に大にならないようにする方が好ましい。バインダー（Ｂ）  としては、アルミナゾルやシリカゾルのような無機質系のバインダーも使用可能であり、このときの無機質系のバインダーは先に述べた機能性セラミックス（ａ１）以外のセラミックス（ａ２）と重複することがある。
【００３０】
（溶媒）
インク組成物は、通常は適量の溶媒を含む。溶媒としては、水、有機溶剤、水−有機溶剤混合溶媒が用いられる。ここで有機溶剤としては、アルコール、多価アルコール、グリコールエーテル、グリコールエステル、ケトン、エーテル、エステル、脂肪族炭化水素、脂環式炭化水素、芳香族炭化水素、含窒素溶剤、含ハロゲン溶剤をはじめとする種々の有機溶剤が、１種または２種以上を混合して用いられる。ただし、活性エネルギー線硬化型のインクの場合には、溶媒の使用を省略するか、溶媒の使用をごく少量にとどめることもできる。
【００３１】
（その他の成分）
インク組成物の調製にあたっては、上記の各成分のほか、着色剤（顔料や染料）、フィラー、可塑剤、界面活性剤、レベリング剤、消泡剤、分散剤、スリッピング剤、色別れ防止剤、増粘剤、チクソトロピー性調整剤、紫外線吸収剤、乾燥促進剤などの助剤または添加剤を適宜配合することができる。なお、顔料として導電性物質を用いたときは、トルマリンの励起剤としての役割も果たすことになる。
【００３２】
（インク組成物の処方）
インク組成物における各成分の配合割合については、各成分の種類によっても異なるので一概には決められないが、含セラミックス機能性成分（Ａ）  とバインダー（Ｂ）  との合計量を１００重量％とするとき、含セラミックス機能性成分（Ａ）  がたとえば９９〜２０重量％（殊に９７〜３０重量％、さらには９５〜４０重量％）、バインダー（Ｂ）  がたとえば１〜８０重量％（殊に３〜７０重量％、さらには５〜６０重量％）とすることが多い。
【００３３】
インク組成物の粘度は、スクリーン印刷に供する関係上、通常は数百〜数万ｃｐｓ／２０℃程度の範囲から選択され、特に１０００〜２００００ｃｐｓ／２０℃程度の範囲から選択することが多い。溶媒の使用量は、このような粘度も考慮して定められる。
【００３４】
〈多孔質系対象物（１）  〉
本発明におけるスクリーン印刷の対象物は、発泡体または繊維絡合体からなる多孔質系対象物（１）  である。対象物は、多孔質系対象物（１）  の部分が存在すれば、非多孔質の部分が存在していてもよい。
【００３５】
発泡体の代表例は、三次元網目状の発泡体である。そのような三次元網目状の発泡体は、たとえば、
・発泡剤、反応ガスの発生、ガスの吹き込みなどの適宜の発泡手段を用いて、高分子を連続気泡（または連続気泡と独立気泡との双方）を生じるように発泡成形する方法、
・溶媒に溶解しない高分子Ｘと溶媒に溶解しうる高分子または非高分子物質Ｙとの組成物を用いて、任意の形状に成形した後、Ｙの少なくとも一部を適当な溶媒を用いて溶解除去する方法、
などにより製造することができる。高分子としては多種のものを用いることができる。このような三次元網目状の発泡体の代表例はポリウレタン発泡体であり、他の一例はホルマールスポンジである。
【００３６】
繊維絡合体の例は、不織布、織布、編布、綿状物、紙、段ボールなどである。繊維の太さ（繊度）は任意であり、超極細のものであってもよい。
【００３７】
多孔質系対象物（１）  は、その少なくとも表面側が発泡体（特に三次元網目状の発泡体）または繊維絡合体でできていればよい。
【００３８】
そのような構成の一例は、多孔質系対象物（１）  が表面部（１１）と本体部（１２）とからなり、その少なくとも表面部（１１）は、連続気泡を有する発泡体または繊維絡合体で構成され、その少なくとも本体部（１２）の少なくとも一部は、低反発性を有する発泡体で構成されているものである。一般の発泡体は、これを最小厚にまで押圧してから押圧を解除したときに直ちに（たとえば１秒以内に）元の厚みにまで回復するが、低反発性を有する弾力性多孔質体は、たとえば５０ｍｍ厚みのものを最小厚にまで押圧してから押圧を解除したときに、元の厚みにまで回復するのに数秒から数１０秒（たとえば２〜４０秒、殊に３秒〜３０秒）を要するような反発性を有するものを言う。
【００３９】
多孔質系対象物（１）  は、平面的な形状のものであってもよく、任意の立体的な形状のものであってもよい。
【００４０】
多孔質系対象物（１）  の用途例は、ソファー・椅子・車の座席やそのカバー、背もたれやそのカバー、座布団やそのカバー、布団やそのカバー、ベッド地やそのカバー、枕やそのカバー、腰枕やそのカバー、靴の中敷き、防寒衣料、防寒手袋、帽子をはじめとする主として身体に接触ないし近接する使い方をしたり、エアコンディショナや空気清浄機などに装備するフィルタ、冷蔵庫・加湿器用の部材、浄水用の部材のような室内・車内・庫内の環境の改善を図る使い方をしたりする民生用の部材である。
【００４１】
〈スクリーン印刷〉
本発明においては、上記のインク組成物のスクリーン印刷法による印刷部（２）  を、上記の多孔質系対象物（１）  上にパターン状に形成する。スクリーン印刷法としては、平面スクリーン印刷のほか、曲面スクリーン印刷の技術を採用することもでき、これにより目的とするスクリーン印刷体が得られる。１回のスクリーン印刷で所期の付着量または所期の厚みが得られないときは、必要回数重ね刷りすることができる。
【００４２】
多孔質系対象物（１）  上の印刷部（２）  のパターンは、ドット形状またはそれに準じた形状を有していることが望ましい。ドット形状またはそれに準じた形状とは、○、◎、◇、□、△、半円、長円形、長方形、多角形、ハート形、星形、アルファベット文字形、雲形などであり、これらの形状を大きさや向きを変えて配列したり、これらの形状の２種以上を組み合わせたりすることも自在である。
【００４３】
ドット形状またはそれに準じた形状のパターンの配置は、規則的なものであっても不規則なものであってもよい。
【００４４】
また、多孔質系対象物（１）  上の印刷部（２）  のパターンは、同種のインク組成物によるパターンであってもよく、ある種のインク組成物によるパターンと他の種のインク組成物によるパターンとを混在させたものであってもよく、同種または異種のインク組成物を重ね刷りしたパターンであってもよい。
【００４５】
多孔質系対象物（１）  上に印刷部（２）  のパターンを形成した部分の領域に占めるをパターン部分の面積割合は、たとえば、１〜８０％、殊に３〜７０％、さらには５〜６０％に設定することが望ましい。パターン部分の面積割合が余りに小さいときはパターンを設けることの意義が乏しくなり、一方、パターン部分の面積割合が余りに大きいときは多孔質系対象物（１）  の性質ないし性能の変化が過大になる。
【００４６】
〈パターンを形成した多孔質系対象物（１）  の構造〉
図１は、パターンを形成した多孔質系対象物（１）  の構造の代表的な一例を示した説明図であり、（イ）は平面図、（ロ）は縦断面図である。図中、（１１）は表面部、（１２）は本体部である。パターンとしては、円形のドット状のパターンを代表例として示してある。
【００４７】
多孔質系対象物（１）  の少なくとも表面は多孔質であるところ、インク組成物は多孔質系対象物（１）  の表面から内部にまで浸入させることができるため、多孔質系対象物（１）  の多孔質をそれほど損なうことなく必要量のインク組成物からなるドット形状またはそれに準じた形状のパターン状の印刷部（２）  を形成することができる。
【００４８】
〈多孔質系対象物（１）  の形状およびパターンの例〉
図２は、多孔質系対象物（１）  の形状およびパターンの例を模式的に示した説明図であり、平面図と縦切断端面図を対で示してある。パターンとしては、円形のドット状のパターンを代表例として図示してある。
・図２（イ）は、薄手の多孔質系対象物（１）  にパターンを形成した場合である。
・図２（ロ）は、厚手の多孔質系対象物（１）  にパターンを形成した場合である。
・図２（ハ）は、薄手の多孔質系対象物（１）  からなる表面部（１１）上にパターンを形成した後、これを厚手の角形断面の多孔質系対象物（１）  からなる本体部（１２）に接着積層した場合である。
・図２（ニ）は、薄手の多孔質系対象物（１）  からなる表面部（１１）上にパターンを形成した後、これを厚手の雲形断面の多孔質系対象物（１）  からなる本体部（１２）に接着積層した場合である。
【００４９】
【実施例】
次に実施例をあげて本発明をさらに説明する。
【００５０】
実施例１
（原料の準備）
原料として、次のものを準備した。
・トルマリン：平均粒子径が３μｍ  のトルマリン。
・励起剤：平均粒子径が３μｍ  のモナズ石、平均粒子径が１μｍ  のアルミニウム粉末、平均直径が  ０．５μｍ  、アスペクト比が４の炭素繊維微粉。
・バインダー：ポリエステル系バインダー、シリコーン系バインダー、ビニル系バインダー、ウレタン系バインダー、アクリル系バインダー、エポキシ系バインダー、フェノール系バインダー。
・顔料（着色剤）：ブルー顔料、イエロー顔料、ピンク顔料、シルバー顔料、ブラック顔料。
・溶媒：中高沸点のセロソルブアセテート、シクロヘキサノンまたはキシレンを主体とし、少量の低沸点のトルエン、酢酸エチルを混合した混合溶剤。
【００５１】
（多孔質系対象物（１）  の準備）
多孔質系対象物（１）  として、厚み５ｍｍの連続気泡を有するポリウレタン発泡シート（三次元網目状の発泡体）を準備した。
【００５２】
（マイナスイオン発生量の測定）
以下においては、空気イオンカウンターＦＩＣ２０００（フィーサ株式会社製）を用いて、試験体粉末または印刷体を測定機から一定距離（１ｃｍまたは５ｃｍ）に置き、無風の専用測定室において、１８℃、４５％ＲＨの条件にて、マイナスイオンの発生量を測定した。
【００５３】
（予備的実験１／原料粉体のマイナスイオン発生量）
原料として用いた粉体状のトルマリンおよびモナズ石のマイナスイオン発生量は、次の通りであった。測定機からの距離は１ｃｍとした。
・ブランク（アルミナ）：    ３６個／ｃｍ３
・トルマリン：          １５７３個／ｃｍ３
・モナズ石：            １６２２個／ｃｍ３
【００５４】
（予備的実験２／混合粉体のマイナスイオン発生量）
トルマリンとモナズ石との種々の割合の混合粉体につき、マイナスイオン発生量を測定した。結果を表１に示す。「ブランク」は大気中での測定値である。
【００５５】
空気イオン測定機を、予め、試料のない恒温恒湿状態で３０分間運転した。供試体の粉体を１００ｇ秤量したものをガラス製試験管に入れ、空気イオン測定機の測定用シリンダー前面１０ｃｍに設置し、シリンダー内に吸引して捕集した空気に電気的な負荷を与えて、その抵抗値から、空気中に含まれているマイナスイオンを計測した。
【００５６】
【表１】
2004314543.tif 000003
【００５７】
表１から、トルマリンに励起剤としてのモナズ石を混合した混合粉体は、マイナスイオン発生量が大になることがわかる。
【００５８】
（スクリーン印刷条件）
所定のメッシュの版を用いて、上記の多孔質系対象物（１）  のうちポリウレタン発泡シートに、円形のドット状のスクリーン印刷を行って乾燥する操作を計３回繰り返した。以下においては、版としては１２０メッシュのものを用い、ドットは図１（イ）のように等間隔に配列し、１個のドットの直径は５ｍｍ、ドット間の中心間距離は１０ｍｍとした。印刷部（２）  のパターンを形成した部分の領域に占めるパターン部分の面積割合は、約２０％に設定してある。
【００５９】
（スクリーン印刷体のマイナスイオン発生量／その１）
トルマリン８０重量％とモナズ石２０重量％との混合物を３０重量部、ブルー顔料（コバルトブルー）を６重量部含み、表２のポリエステル系バインダーを３５重量部含み、かつ溶媒として上述の混合溶媒を用いたインク組成物を調製し、上述のポリウレタン発泡シート上にドット状にスクリーン印刷して（３回重ね刷り、厚みは重量から測定して３０μｍ  相当）、印刷体を得た。結果を表２に示す。
【００６０】
【表２】
2004314543.tif 000004
【００６１】
（スクリーン印刷体のマイナスイオン発生量／その２）
トルマリン８０重量％とモナズ石２０重量％との混合物を０〜５０重量部、ブルー顔料（コバルトブルー）を６重量部含み、ポリエステル系バインダーを３５重量部含み、かつ溶媒として上述の混合溶媒を用いたインク組成物を調製し、上述のポリウレタン発泡シート上にドット状にスクリーン印刷して（３回重ね刷り、厚みは重量から測定して３０μｍ  相当）、印刷体を得た。結果を表３に示す。
【００６２】
【表３】
2004314543.tif 000005
【００６３】
（スクリーン印刷体のマイナスイオン発生量／その３）
トルマリン８０重量％とモナズ石２０重量％との混合物を３０重量部または４０重量部、各種の色の顔料を６重量部含み、ポリエステル系バインダーを３５重量部含み、かつ溶媒として上述の混合溶媒を用いたインク組成物を調製し、上述のポリウレタン発泡シート上にドット状にスクリーン印刷して（３回重ね刷り、厚みは重量から測定して３０μｍ  相当）、印刷体を得た。結果を表４に示す。
【００６４】
【表４】
2004314543.tif 000006
【００６５】
上記において、イエロー顔料はチタン化合物系、ピンク顔料は顔料はクロム・鉄化合物系、ブルー顔料はコバルトブルー（ＣｏＯ・ｎＡｌ２Ｏ３）  、シルバー顔料はアルミニウム粉、ブラック顔料はカーボンブラックである。
【００６６】
表３と表４との対比から、シルバー顔料（アルミニウム粉）とブラック顔料（カーボンブラック）とにおいては、顔料併用のときに相乗効果が示されている。このことから、シルバー顔料とブラック顔料とは、着色剤としての役割のほかに、励起剤ないし励起補助剤の役割を果たしていることが判明した。
【００６７】
（スクリーン印刷体のマイナスイオン発生量／その４）
上記の結果を踏まえ、励起剤として、モナズ石と共に金属系またはカーボン系の物質を併用したときの効果を確認するために、次の実験を行った。
【００６８】
すなわち、トルマリン８０重量％とモナズ石２０重量％との混合物を４０重量部、シルバー顔料を６重量部含み、アルミニウム系フィラーまたは／およびカーボン系フィラーを後述の量含み、ポリエステル系バインダーを３５重量部含み、かつ溶媒として上記の混合溶媒を用いたインク組成物を調製し、上述のポリウレタン発泡シート上にドット状にスクリーン印刷して（３回重ね刷り、厚みは重量から測定して３０μｍ  相当）、印刷体を得た。結果を表５に示す。
【００６９】
【表５】
2004314543.tif 000007
【００７０】
表５から、励起剤としては、モナズ石と共に、金属系またはカーボン系のフィラーを併用することが望ましく、特にカーボン系のフィラーの併用は相乗効果が大きく、さらには、金属系およびカーボン系のフィラーの双方を併用することが相乗効果が大きいことがわかる。
【００７１】
（スクリーン印刷体のマイナスイオン発生量／その５）
スクリーン印刷法とロールコーターによる塗布法との差異があるかどうかを見るため、上述の表５の実験において、ロールコーターによる塗布を行った場合についても実験を行った。
【００７２】
すなわち、トルマリン８０重量％とモナズ石２０重量％との混合物を４０重量部、シルバー顔料を６重量部含み、アルミニウム系フィラーを４重量部、カーボン系フィラーを４重量部含み、ポリエステル系バインダーを３５重量部含み、かつ溶媒として上記の混合溶媒を用いたインク組成物を調製し、上述のポリウレタン発泡シート上にドット状にスクリーン印刷して（３回重ね刷り、厚みは重量から測定して３０μｍ  相当）、印刷体を得た。
【００７３】
ロールコーターによる塗布については、塗布厚みが３０μｍ  になるようにした。
【００７４】
その結果、スクリーン印刷の場合のマイナスイオン測定値は１３００〜１４００個／ｃｍ３であるのに対し、ロールコーター塗布の場合には８００〜１０００個／ｃｍ３であり、前者の方が付着面積が小さいにもかかわらず良好な結果が得られた。
【００７５】
（他の作用効果）
機能性セラミックス（ａ１）としてマイナスイオン発生性セラミックスを用いる場合、多孔質系対象物（１）  がポリウレタンのように自己臭を有するときであっても、その自己臭が消失するという予期せぬ副生効果が奏された。
【００７６】
実施例２
多孔質系対象物（１）  として、ＨＥＰＡフィルタ（直径  ０．３μｍ  の粒子を  ９９．９７％以上捕集する性能を持つガラス繊維で作られた濾紙を用いたフィルタ）用の不織布を準備した。この不織布の片面に、下記の処方１および処方２のインク組成物をドット状にスクリーン印刷して印刷部（２）  を形成してから、プリーツ加工を施してＨＥＰＡフィルタを作製し、外枠に取り付けた。印刷部（２）  のパターンを形成した部分の領域に占めるパターン部分の面積割合は、約２０％に設定した。
【００７７】
このようにして得たＨＥＰＡフィルタは、圧損の増大を許容範囲に維持しながら、所期のマイナスイオン性または遠赤外線放射性を有していた。
【００７８】
処方１：
トルマリンモナズ石、シルバー顔料、アルミニウム系フィラー、カーボン系フィラー、ポリエステル系バインダーを重量比で３２：８：６：４：４：３５の割合となるように含み、かつ溶媒として実施例１の混合溶媒を用いたインク組成物。
【００７９】
処方２：
遠赤外線放射性セラミックスを４０部、ポリエステル系バインダーを３５重量％含み、かつ溶媒として実施例１で述べた混合溶媒を用いたインク組成物。
【００８０】
実施例３
（多孔質系対象物（１）  の準備）
多孔質系対象物（１）  として、表面部（１１）用の厚み３ｍｍの連続気泡を有するポリウレタン発泡体シート（各面がほぼ六角形、五角形および四角形の三次元編目状構造を有する発泡体シート）と、厚み約１２０μｍ  のナイロン織布との２種を準備した。また、本体部（１２）用の厚手の雲形断面の低反発性ポリウレタン発泡体ブロックを準備した。後者の低反発性を有する弾力性多孔質体は、最薄部で６０ｍｍ、最厚部で１００ｍｍの厚みを有し、最薄部および最厚部で最小厚にまで押圧してから押圧を解除したときに、いずれも元の厚みにまで回復するのに約１５秒を要するものであった。
【００８１】
（印刷体の製造）
上記の表面部（１１）用の発泡体シートまたは織布上に、下記の処方のインク組成物を円形のドット状にスクリーン印刷して（３回重ね刷り、厚みは重量から測定して３０μｍ  相当）、印刷体を得た。ドットは図２（ニ）のように等間隔に配列し、１個のドットの直径は５ｍｍ、ドット間の中心間距離は１０ｍｍとした。印刷部（２）  のパターンを形成した部分の領域に占めるパターン部分の面積割合は、約２０％に設定してある。ついで、パターンを形成した表面部（１１）用の部材を、図２（ニ）のように本体部（１２）用の部材をくるむように接着剤または粘着剤にて接着積層して、枕を作製した。
【００８２】
（インク組成物の処方）
処方１：
トルマリン、モナズ石、シルバー顔料、アルミニウム系フィラー、カーボン系フィラー、茶由来の純度３０重量％のカテキン、ポリエステル系バインダーを重量比で３２：８：６：４：４：１０、４５の割合となるように含み、かつ溶媒として実施例１の混合溶媒を用いたインク組成物。
【００８３】
処方２：
リン酸−Ｌ−アスコルビルマグネシウム、茶由来の純度３０重量％のカテキン、シリカ分４０重量％と水６０重量％とからなるコロイダルシリカ、粉砕シリカを１０：４０：４０：１０になるように混合し、４流体ノズルより噴射して一挙に乾燥粉末を得た後、該粉末とポリエステル系バインダーとを重量比で５４：３５の割合で含みかつ溶媒として実施例１の混合溶媒を用いたインク組成物。
【００８４】
処方３：
茶由来の純度３０重量％のサポニン、水蒸気蒸留法により得たティートリー精油、シリカ分４０重量％と水６０重量％とからなるコロイダルシリカを４０：５：４０になるように混合し、４流体ノズルより噴射して一挙に乾燥粉末を得た後、該粉末とポリエステル系バインダーとを重量比で５４：３５の割合で含みかつ溶媒として実施例１の混合溶媒を用いたインク組成物。
【００８５】
処方４：
溶媒抽出法により得たジンジャー抽出物、酸化第一銅、トルマリン、モナズ石、固形分４０％の珪酸ソーダ水溶液、ゼオライト微粉、ポリエステル系バインダーを重量比で５：１０：２０：５：１５：１０：４０の割合となるように含み、かつ溶媒として実施例１の混合溶媒を用いたインク組成物。
【００８６】
（官能試験）
上記の枕を１晩使用したときのリラクシゼーション性を、男女各１０名、計２０名のパネラー（年代は１０代から７０代まで）により次の基準で判断してもらった。
【００８７】
評価は、印刷部（２）  を設けない枕を対照例とし、その対照例に比し、効果が感じられる場合を３点、やや効果が感じられる場合を２点、ごくわずかに効果が感じられる場合を１点、効果が感じられない場合を０点とした。かえって悪化する場合については、その度合いに応じて、−１点、−２点、−３点としたが、マイナス評価の事例はなかった。結果を表６に示す。点数は、男女別およびトータルの合計点数である。
【００８８】
【表６】
2004314543.tif 000008
【００８９】
【発明の効果】
本発明における印刷対象物が発泡体または繊維絡合体からなる多孔質系対象物（１）  であり、その上にスクリーン印刷法により形成した印刷部（２）  がパターン印刷であり、かつインク組成物が特定の含セラミックス機能性成分（Ａ）  とバインダー（Ｂ）  とを必須成分とするものであることは、作用効果の点で次のように有利である。
１．インク組成物が含セラミックス機能性成分（Ａ）  であることにより、機能が持続すること。
２．スクリーン印刷法によるパターン印刷であることにより、通常のコーティング法（ロールコーティング、ドクターナイフコーティング、刷毛塗り、ディッピング等）や全面印刷法に比し、インク組成物の使用量が少なくて済む上、多孔質系対象物（１）  全体としての物理的機能が損なわれにくいこと。
３．セラミックス成分を含む印刷部（２）  のパターンにより、他の部分に比し印刷部（２）  の硬度を高くすることができるので、身体に接触ないし近接する使い方をする場合、同時に指圧効果を発揮させることができること。
４．身体に接触ないし近接する使い方をする場合、必要部位における印刷部（２）  の配置や印刷厚みを自在に設定できること。
５．エアコンディショナや空気清浄機などに装備するフィルタのような室内または車内環境の改善を図る使い方をする場合、所期の機能を発揮しながら、圧損の増大が小さいこと。
６．多孔質系対象物（１）  の少なくとも表面は多孔質であるところ、インク組成物は多孔質系対象物（１）  の表面から内部にまで浸入させることができるため、多孔質系対象物（１）  の多孔質をそれほど損なうことなく必要量のインク組成物からなるドット形状またはそれに準じた形状のパターン状の印刷部（２）  を形成することができること。しかも、印刷部（２）  の面積の割には、浸入したインク組成物により実体的な表面積が大となるので、機能が充分に奏されること。
７．機能性セラミックス（ａ１）としてマイナスイオン発生性セラミックスを用いるときは、スクリーン印刷法を採用しているために印刷層がマイナスイオン発生性の点で好ましいものとなり、コーティング法（塗布法）に比し一段と良好な結果が得られる上、スクリーン印刷法によれば多層印刷や版のメッシュの選択が自在であるため、マイナスイオンの発生量を広い範囲で自在に設定することができること。また、スクリーン印刷法を採用しているため、励起剤として微放射線放射性物質を使用するときも、その使用量の割にはマイナスイオンを効率的に発生させることができること。特に導電性物質を併用したときには、同じ量のマイナスイオンを発生させるのに、微放射線放射性物質の使用量を少なくすることができること。このように微放射線放射性物質の使用量を少なくできることは、もともと国の規制レベルの上限値よりもはるかに低い使用量をさらに少なくすることができるという利点もあること。
８．含セラミックス機能性成分（Ａ）  として消臭性、抗微生物性、抗アレルギー性、抗酸化性、リラクシゼーション性を有する成分を用いるときは、これらの機能が効率的に発揮され、かつその機能が持続すること。
９．機能性セラミックス（ａ１）としてマイナスイオン発生性セラミックスを用いる場合は、多孔質系対象物（１）  がポリウレタンのように自己臭を有するときであっても、その自己臭が消失するという予期せぬ副生効果が奏されること。
【図面の簡単な説明】
【図１】パターンを形成した多孔質系対象物（１）  の構造の代表的な一例を示した説明図であり、（イ）は平面図、（ロ）は縦断面図である。
【図２】多孔質系対象物（１）  の形状およびパターンの例を模式的に示した説明図であり、平面図と縦切断端面図を対で示してある。
【符号の説明】
（１）  …多孔質系対象物、
（１１）…表面部、（１２）…本体部、
（２）  …印刷部
【図１】
2004314543.tif 000009
【図２】
2004314543.tif 000010